(57)【特許請求の範囲】
【請求項１】
棒状で、軸方向に延びる収納空間部と軸方向に延び前記収納空間部まで達する第一のガイド溝とを有する第一のスケールと、
棒状で、軸方向に延びる第二のガイド溝を有し前記第一のスケールの収納空間部に収納可能な第二のスケールと、
前記第一のガイド溝と前記第二のガイド溝の双方に移動可能に挿通され前記第二のスケールを回動自在に支持する回動軸と、
を備え、
前記第一のガイド溝を前記第一のスケールの軸心上に形成するとともに、前記第二のガイド溝を前記第二のスケールの軸心上に形成し、前記回動軸を中心とする前記第二のスケールの回動により前記第一のスケールの軸心と前記第二のスケールの軸心とを交差可能とした、
ことを特徴とする測量器具。
【請求項２】
前記第一のスケールと前記第二のスケールとのなす角度を所定の角度に設定するための角度設定手段を有することを特徴とする請求項１に記載の測量器具。
【発明の詳細な説明】
【技術分野】
【０００１】
この発明は、地形等を測量するための測量器具に関し、特に二つのスケールを用いて地形を測量するための測量器具に関する。
【背景技術】
【０００２】
地形等を測量する際には、通常二本の測量用ポール（棒状スケール）が用いられる。地形を横方向に測量して地形の状況を調査する横断測量においては、二つの測量用ポールにより傾斜面からの垂直距離および水平距離を計測する。図１０は、従来における横断測量の一例を示している。図１０に示すように、横断測量では一方の測量用ポール２が水平にセットされ、他方の測量用ポール３が垂直にセットされる。そして、一方の測量用ポール２と他方の測量用ポール３とのなす角度θを９０度に保った状態で、一方の測量用ポール２と他方の測量用ポール３との交差位置から傾斜面１までの水平方向距離および垂直距離を目盛２ａおよび目盛３ａにより測定することにより、傾斜面１の測量を行う。
【０００３】
横断測量においては、上記のように二本の測量用ポールを作業者により交差させる必要があるため、足場の悪い場所ではポールの交差部を安定した状態で静止させることが難しく、測量誤差が生じ易いという問題があった。そこで、二本の測量用ポールを連結器を用いて連結するようにした測量器具が知られている（例えば、特許文献１参照。）。この測量器具においては、締め付けボルトで連結された二つの筒状の支持体に測量用ポールが挿入可能となっており、二つの測量用ポールは締め付けボルトを中心として回動可能となっている。
【特許文献１】実開平５−１４８２６号公報
【発明の開示】
【発明が解決しようとする課題】
【０００４】
しかし、特許文献１の測量器具においては、地形の測量時には二つの測量用ポールを持ち歩かなければならず、移動に不便であるという問題がある。また、二つの測量用ポールは連結器を介して連結されているので、測量時には二つの測量用ポールの軸心は交差しないことになり、正確な測量ができないという問題もある。
【０００５】
そこでこの発明は、持ち運びが容易でかつ地形の測量精度を高めることが可能な測量器具を提供することを目的とする。
【課題を解決するための手段】
【０００６】
上記目的を達成するために請求項１に記載の発明は、棒状で、軸方向に延びる収納空間部と軸方向に延び前記収納空間部まで達する第一のガイド溝とを有する第一のスケールと、棒状で、軸方向に延びる第二のガイド溝を有し前記第一のスケールの収納空間部に収納可能な第二のスケールと、前記第一のガイド溝と前記第二のガイド溝の双方に移動可能に挿通され前記第二のスケールを回動自在に支持する回動軸と、を備え、前記第一のガイド溝を前記第一のスケールの軸心上に形成するとともに、前記第二のガイド溝を前記第二のスケールの軸心上に形成し、前記回動軸を中心とする前記第二のスケールの回動により前記第一のスケールの軸心と前記第二のスケールの軸心とを交差可能とした、ことを特徴とする測量器具である。
【０００７】
この発明によれば、第二のスケールは、第一のガイド溝と第二のガイド溝の双方に挿通された回動軸を介して第一のスケールに回動自在に支持され、第二のスケールは第一のスケールの第一のガイド溝に沿って移動することが可能となる。測量以外の時は、第二のスケールが第一のスケールの収納空間部に収納され、第二のスケールは第一のスケールと一体化される。
【０００８】
請求項２に記載の発明は、請求項１に記載の測量器具において、前記第一のスケールと前記第二のスケールとのなす角度を所定の角度に設定するための角度設定手段を有することを特徴としている。
【発明の効果】
【０００９】
請求項１に記載の発明によれば、第二のスケールを第一のスケールの第一のガイド溝に沿って移動させることが可能となるので、地形測量における測量精度を高めることができる。また、第二のスケールが第一のスケールの収納空間部に収納され状態では、第二のスケールは第一のスケールと一体化されるので、測量器具の持ち運びが容易となる。
【００１０】
請求項２に記載の発明によれば、角度設定手段により第一のスケールと第二のスケールとのなす角度を容易に所定の角度に設定することが可能となり、測量の作業能率を高めることができる。
【発明を実施するための最良の形態】
【００１１】
つぎに、この発明の実施の形態について図面を用いて詳しく説明する。
【００１２】
図１ないし図９は、この発明の実施の形態を示している。図１ないし図３に示すように、測量器具５は、主として第一のスケール１０と、第二のスケール２０と、回動軸３０とを有している。第一のスケール１０は、断面形状が円形の棒状部材であり、例えば木材を円柱状に加工したものから構成されている。第一のスケール１０の外周面には、目盛１０ａが軸方向に所定の間隔をもって付与されている。目盛１０ａは、赤色と白色とを第一のスケール１０の軸方向に交互に塗布した縞模様の目盛から構成されており、一色の軸方向の長さは例えば２０ｃｍに設定されている。第一のスケール１０には、地形の傾斜面１に接触させるための基準端部１０ｄが形成されている。基準端部１０ｄは、先端に行くにつれて小径となる円錐状に形成されており、傾斜面１など土や石との接触による磨耗を抑制するため金属部材から構成されている。第一のスケール１０の目盛１０ａは、基準端部１０ｄの先端を基準として付与されている。
【００１３】
第一のスケール１０には、第二のスケール２０を収納するための収納空間部１０ｂが形成されている。収納空間部１０ｂは、第一のスケール１０の軸方向に延びており、第一のスケール１０の軸心Ｃ１上に位置するように形成されている。図１および図５に示すように、収納空間部１０ｂは、第一のスケール１０を半径方向に貫通する空間部であり、一端が第一のスケール１０の上端部１０ｆの近傍まで延びており、他端は第一のスケール１０の基準端部１０ｄと隣接する下端部１０ｅ近傍まで延びている。収納空間部１０ｂの幅は、第二のスケール２０が収納可能なように、第二のスケール２０の板厚よりも若干大に形成されている。図４に示すように、収納空間部１０ｂの軸方向の長さＬ２は、第二のスケール２０の軸方向の長さよりも若干大となっている。第一のスケール１０の軸方向の長さＬ１は、第二のスケール２０を収納する分だけ第二のスケール２０の長さよりも長くなっている。
【００１４】
第一のスケール１０には、軸方向に延びる第一のガイド溝１０ｃが形成されている。第一のガイド溝１０ｃは、第一のスケール１０の軸心Ｃ１上に位置するように形成されている。第一のガイド溝１０ｃは、一端が第一のスケール１０の上端部１０ｆの近傍まで延びており、他端は第一のスケール１０の基準端部１０ｄと隣接する下端部１０ｅ近傍まで延びている。図５に示すように、第一のガイド溝１０ｃは、収納空間部１０ｂを貫通する溝であり、収納空間部１０ｂを中心として左右に延びている。第一のガイド溝１０ｃは、回動軸３０の直径よりも若干大に形成されている。第一のガイド溝１０ｃの軸方向の長さは、収納空間部１０ｂの軸方向の長さとほぼ同じとなっている。
【００１５】
第二のスケール２０は、断面形状が長方形の棒状部材であり、例えば木材を板状に加工したものから構成されている。第二のスケール２０の外周面には、目盛２０ａが軸方向に所定の間隔をもって付与されている。目盛２０ａは、赤色と白色とを第二のスケール２０の軸方向に交互に塗布した縞模様の目盛から構成されており、一色の軸方向の長さは第一のスケール１０と同様に２０ｃｍに設定されている。第二のスケール２０には、地形の傾斜面１に接触させるための基準端部２０ｄが形成されている。基準端部２０ｄは、先端に行くにつれて幅が小となる三角形状に形成されており、傾斜面１など土や石との接触による磨耗を抑制するため金属部材から構成されている。第二のスケール２０の目盛２０ａは、基準端部２０ｄの先端を基準として付与されている。
【００１６】
第二のスケール２０には、軸方向に延びる直線状の第二のガイド溝２０ｂが形成されている。第二のガイド溝２０ｂは、第二のスケール２０の軸心Ｃ２上に位置するように形成されている。図６に示すように、第二のガイド溝２０ｂは、一端が第二のスケール２０の上端部２０ｆの近傍まで延びており、他端は第二のスケール２０の基準端部２０ｄと隣接する下端部２０ｅ近傍まで延びている。第二のガイド溝２０ｂの溝幅は、回動軸３０の直径よりも若干大に形成されている。
【００１７】
第一のスケール１０の第一のガイド溝１０ｃと第二のスケール２０の第二のガイド溝２０ｂの双方には、第二のスケール２０を回動自在に支持する回動軸３０が挿通（配設）されている。回動軸３０は、円柱状の金属部材から構成されており、直径が第一のガイド溝１０ｃおよび第二のガイド溝２０ｂの溝幅よりも若干小となっている。これにより、回動軸３０は、第一のガイド溝１０ｃと第二のガイド溝２０ｂに対して移動可能となっている。回動軸３０の軸方向の長さは、第一のガイド溝１０ｃの軸方向と直交する方向の長さよりも若干短くなっている。すなわち、回動軸３０の軸方向の端面は、第一のガイド溝１０ｃの左右の端面と若干の隙間をもって対向しており、回動軸３０は第一のガイド溝１０ｃに沿って円滑に転動するようになっている。また、回動軸３０は、第二のスケール２０の第二のガイド溝２０ｂにほぼ隙間なく挿通されることにより、第一のガイド溝１０ｃに対する姿勢（角度）が常時所定の姿勢に維持されるようになっている。
【００１８】
図７ないし図９は、第一のスケール１０と第二のスケール２０とのなす角度θを所定の角度に設定するための角度設定手段を示している。第一のスケール１０と第二のスケール２０とのなす角度θは、通常９０度に設定されるが、９０度以外の角度であっても測量器具５を用いた地形の測量は可能である。図７は、角度設定手段としての筒状定規３１を第一のスケール１０の外周面に摺動可能に装着した例を示しており、第一のスケール１０の軸心Ｃ１と直交するガイド面３１ａを第二のスケール２０の側面に押付けることにより、第一のスケール１０と第二のスケール２０のなす角度θが９０度に設定されるようになっている。図８は、第一のスケール１０と第二のスケール２０のそれぞれに角度設定手段として水準器３２が取付けた例を示している。図８においては、一方の水準器３２により第一のスケール１０を水平に保ち、他方の水準器３２により第二のスケール２０を垂直に保つことにより、第一のスケール１０と第二のスケール２０のなす角度θが９０度に設定されるようになっている。図９は、角度設定手段としての円形の分度器３３を設けた例を示しており、分度器３０の中心が回動軸３０の軸心と直交している。図９においては、第一のスケール１０の軸心Ｃ１と第二のスケール２０の軸心Ｃ２を分度器３３の目盛に合わせることにより、第一のスケール１０と第二のスケール２０のなす角度θを９０度に設定することが可能となっている。
【００１９】
この実施の形態においては、第一のガイド溝１０ｃは収納空間部１０ｂを貫通する溝としているが、第一のガイド溝１０ｃは、収納空間部１０ｂに達するものであればよく、収納空間部１０ｂを中心として左右のいずれか一方に形成されるものであってもよい。すなわち、この実施の形態においては、回動軸３０の両端部を第一のガイド溝１０ｃに支持させる構成としているが、回動軸３０が第一のガイド溝１０ｃに沿って円滑に移動できる構造であれば、回動軸３０の一側のみを支持する片持ち構造としてもよい。また、第一のガイド溝１０ｃを第一のスケール１０に貫通させる構造としてもよい。
【００２０】
つぎに、測量器具５を用いた地形の測量方法について説明する。図１に示すように、地形の横断測量においては、第一のスケール１０と第二のスケール２０を交差させて傾斜面１の形状を計測する。まず、第一のスケール１０の基準端部１０ｄの先端を傾斜面１に接触させた状態で、第一のスケール１０を水平状態にする。その後、筒状定規３１などの角度設定手段を用いて第一のスケール１０と第二のスケール２０とのなす角度θを９０度に保ち、この状態で第二のスケール２０の基準端部２０ｄの先端を傾斜面１に接触させる。そして、第一のスケール１０の軸心Ｃ１と第二のスケール２０の軸心Ｃ２の交差位置から基準端部１０ｄおよび基準端部２０ｄの先端までの距離を目盛１０ａ、２０ａを用いて計測することにより、傾斜面１を測量することが可能となる。横断測量においては、この測量器具５を用いて地形を横方向に測量していくことにより、地形の状況を把握することができる。
【００２１】
つぎに、測量器具５の作用について説明する。測量器具５を使用する場合は、第一のスケール１０の収納空間部１０ｂに収納されている第二のスケール２０の側面を押し、第二のスケール２０を第一のスケール１０から押出す。これにより、第二のスケール２０は、第一のガイド溝１０ｃに挿通された回動軸３０を中心として回動するとともに、第一のスケール１０の第一のガイド溝１０ｃに沿って移動可能となる。また、回動軸３０が挿通される第二のガイド溝２０ｂは軸方向に延びているので、第二のスケール２０は軸方向にも移動可能となる。つまり、第二のスケール２０は、軸方向とその直交方向とに移動自在となる。第二のスケール２０を第一のスケール１０の軸方向に移動させる際には、回動軸３０は第一のガイド溝１０ｃ内を転動するので、第二のスケール２０を小さな力で容易に第一のスケール１０の軸方向に移動させることができる。第二のスケール２０を軸方向に移動させる際には、回動軸３０は第二のガイド溝２０ｂ内を転動するので、第二のスケール２０を小さな力で軸方向に容易に移動させることができる。ここで、第一のガイド溝１０ｃは第一のスケール１０の軸心Ｃ１上に形成されており、第二のガイド溝２０ｂは第二のスケール２０の軸心Ｃ２上に形成されているので、地形の測量時には、第一のスケール１０の軸心Ｃ１と第二のスケール２０の軸心Ｃ２とを交差させることができ、地形測量における測量精度を高めることができる。
【００２２】
ある地点での測量が終了すると、第二のスケール２０を第一のスケール１０の中央まで移動しながら第二のスケール２０を回動させて第一のスケール１０の収納空間部１０ｂに押込み、第二のスケール２０を収納空間部１０ｂに収納する。第二のスケール２０が収納空間部１０ｂに収納され状態では、図４に示すように、第二のスケール２０は第一のスケール１０と一体化されるので、測量器具５の持ち運びが容易となり、測量の運搬作業性を高めることができる。また、第二のスケール２０を第一のスケール１０と一体化させることにより、測量器具５の保管場所における保管スペースも縮小することができる。
【００２３】
以上、この発明の実施の形態を詳述してきたが、具体的な構成はこの実施の形態に限られるものではなく、この発明の要旨を逸脱しない範囲の設計の変更等があっても、この発明に含まれる。例えば、第二のスケール２０の断面形状を長方形としているが、断面形状は長方形に限定されることはなく、楕円形などにしてもよい。また、第一のスケール１０と第二のスケール２０とのなす角度θを９０度に設定しているが、角度θを９０度以外に設定しても測量器具５を用いた地形の測量は可能である。さらに、第一のスケール１０と第二のスケール２０の目盛１０ａ、２０ａを長さ２０ｃｍの赤色と白色の縞模様状としているが、これよりも精度の高い目盛を使用することにより、精度の高い測量が可能となる。
【図面の簡単な説明】
【００２４】
【図１】本発明の実施の形態に係わる測量器具を用いた地形の測量状況を示す斜視図である。
【図２】図１の測量器具の部分拡大斜視図である。
【図３】図１の測量器具の断面図である。
【図４】図１の測量器具における第二のスケールの収納状態を示す斜視図である。
【図５】図１の測量器具における第一のスケールの断面図である。
【図６】図１の測量器具における第二のスケールの正面図である。
【図７】図１の測量器具に用いられる角度設定手段の使用の一例を示す側面図である。
【図８】図７の角度設定手段の変形例を示す側面図である。
【図９】図７の角度設定手段の別の変形例を示す側面図である。
【図１０】従来の横断測量の一例を示す斜視図である。
【符号の説明】
【００２５】
１          傾斜面
５          測量器具
１０        第一のスケール
１０ａ      目盛
１０ｂ      収納空間部
１０ｃ      第一のガイド溝
１０ｄ      基準端部
２０        第二のスケール
２０ａ      目盛
２０ｂ      第二のガイド溝
２０ｄ      基準端部
３０        回動軸
３１        筒状定規（角度設定手段）
３２        水準器（角度設定手段）
３３        分度器（角度設定手段）
【図３】
0005132325.tif 000002
【図５】
0005132325.tif 000003
【図７】
0005132325.tif 000004
【図８】
0005132325.tif 000005
【図９】
0005132325.tif 000006
【図１】
0005132325.tif 000007
【図２】
0005132325.tif 000008
【図４】
0005132325.tif 000009
【図６】
0005132325.tif 000010
【図１０】
0005132325.tif 000011